【事件の表示】
　特願２００９−２５７１４０「冷蔵庫」拒絶査定不服審判事件〔平成２３年　５月２６日出願公開，特開２０１１−１０２６６３〕について，次のとおり審決する。
【結　論】
　本件審判の請求は，成り立たない。
【理　由】
１　手続の経緯
　本願は，平成２１年１１月１０日の出願であって，平成２５年８月８日付けで通知された拒絶の理由に対して，平成２５年１０月１６日に意見書および手続補正書が提出されたが，平成２６年３月６日付けで拒絶査定され，これに対して，平成２６年６月６日に拒絶査定不服審判が請求されると同時に手続補正書が提出され，審査官により平成２６年８月１日付けで前置報告書が作成され，平成２６年１０月２２日に請求人より上申書が提出されたものである。
　
２　平成２６年６月６日の手続補正書による補正（以下，「本件補正」という。）についての補正の却下の決定
［補正の却下の決定の結論］
　本件補正を却下する。
　
［理由］
（１）　本件補正後の本願の発明
　本件補正により，特許請求の範囲の請求項１は，
「外箱と内箱との間に空間が形成された断熱箱体と、前記断熱箱体の内部に設けられた貯蔵室を冷却する冷却器と、前記冷却器に供給する冷媒を圧縮する圧縮機と、前記圧縮機の吐出側に接続された凝縮器とを備えた冷蔵庫において、
　前記内箱の外側面の全面を覆う真空断熱パネルを前記空間に備え、前記真空断熱パネルの庫外側と前記外箱との間に発泡断熱材が配設されておらず、
　前記断熱箱体の上部に前記圧縮機が配設されていることを特徴とする冷蔵庫。」
と補正された。
　
（２）　本件補正の目的
　本件補正は，何ら新規事項を追加するものではなく，本件補正前の請求項１に係る発明を特定するために必要な事項である「内箱の外側面を覆う真空断熱パネル」を「内箱の外側面の全面を覆う真空断熱パネル」に限定するものであって，産業上の利用分野及び解決しようとする課題が同一のものである。
　したがって，本件補正は，特許法第１７条の２第５項第２号の特許請求の範囲の減縮を目的とするものに該当するので，本件補正後の前記請求項１に記載された発明（以下，「本願補正発明」という。）が特許出願の際独立して特許を受けることができるものであるか（特許法第１７条の２第６項において準用する同法第１２６条第７項の規定に適合するか）について以下に検討する。
　
（３）　引用例
（ａ）　本願の出願の前に日本国内において頒布され，原査定の拒絶の理由に引用された特開２００６−１９４５７１号公報（以下，「引用例１」という。）には，図面と共に次の事項が記載されている。
　
（ア）　「【請求項１】
　天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記断熱区画の中で最上部に配設された最上部断熱区画の下端面より上方に配置された前記真空断熱材の総重量よりも、前記最上部断熱区画の下端面より下方に配置された前記真空断熱材の総重量が大きい冷蔵庫。
【請求項２】
　天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記断熱区画の中で最上部に配設された最上部断熱区画の下端面より上方に配置された前記真空断熱材の体積よりも、前記最上部断熱区画の下端面より下方に配置された前記真空断熱材の体積が大きい冷蔵庫。」
　
（イ）　「【００１５】
　本発明は、上記従来の課題を解決するもので、高さを低くするなどして内容積を減少させることなく、使いにくい上奥部の収納空間をなくし、使いやすい下部引出し式貯蔵室の収納量を増加させたうえに、内容積や省エネ性を損なうことなく断熱箱体の安定性をまし、転倒防止を図る冷蔵庫を提供することを目的とする。
【課題を解決するための手段】
【００１６】
　上記従来の課題を解決するために、本発明の冷蔵庫は、天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記断熱区画の中で最上部に配設された最上部断熱区画の下端面より上方に配置された前記真空断熱材の総重量よりも、前記最上部断熱区画の下端面より下方に配置された前記真空断熱材の総重量が大きいものである。
【００１７】
　これによって、真空断熱材の密度が発泡断熱体よりも大きいので、真空断熱材を用いるほど断熱箱体の重量が増加する。真空断熱材の被覆面積を下方重点となるように配置することで冷蔵庫上方に比べて下方の重量を増加させることができる。
【００１８】
　また、発泡断熱体よりも高い断熱性能を有する真空断熱材を用いるので、壁厚を増加させるなどして内容積を減少させることなく、省エネ性を向上させているのはもちろんのことである。
【００１９】
　また、本発明の冷蔵庫は天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記断熱区画の中で最上部に配設された最上部断熱区画の下端面より上方に配置された前記真空断熱材の体積よりも、前記最上部断熱区画の下端面より下方に配置された前記真空断熱材の体積が大きいものである。
【００２０】
　これによって、真空断熱材の密度が発泡断熱体よりも大きいので、真空断熱材を用いるほど断熱箱体の重量が増加する。真空断熱材の被覆面積を下方重点となるように配置することで冷蔵庫上方に比べて下方の重量を増加させることができる。
【００２１】
　また、発泡断熱体よりも高い断熱性能を有する真空断熱材を用いるので、壁厚を増加させるなどして内容積を減少させることなく、省エネ性を向上させているのはもちろんのことである。
【発明の効果】
【００２２】
　本発明の冷蔵庫は、高さを低くするなどして内容積を減少させることなく、使いにくい上奥部の収納空間をなくし、使いやすい下部引出し式貯蔵室の収納量を増加させたうえに、断熱箱体の安定性をまし、転倒防止性が向上する。
【発明を実施するための最良の形態】
【００２３】
　請求項１に記載の発明は、天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記断熱区画の中で最上部に配設された最上部断熱区画の下端面より上方に配置された前記真空断熱材の総重量よりも、前記最上部断熱区画の下端面より下方に配置された前記真空断熱材の総重量が大きいものである。
【００２４】
　これによって、真空断熱材の密度が発泡断熱体よりも大きいので、真空断熱材を用いるほど断熱箱体の重量が増加する。真空断熱材の被覆面積を下方重点となるように配置することで冷蔵庫上方に比べて下方の重量を増加させることができ、転倒に対する安定性が向上する。
【００２５】
　また、発泡断熱体よりも高い断熱性能を有する真空断熱材を用いるので、壁厚を増加させるなどして内容積を減少させることなく、省エネ性を向上させているのはもちろんのことである。
【００２６】
　請求項２に記載の発明は、天面部に圧縮機を配設した断熱箱体が上下方向に少なくとも二つ以上の断熱区画を設けてあり、前記断熱箱体は内箱と外箱と発泡断熱体と前記発泡断熱体より密度の大きい真空断熱材とで構成され、前記断熱区画の中で最上部に配設された最上部断熱区画の下端面より上方に配置された前記真空断熱材の体積よりも、前記最上部断熱区画の下端面より下方に配置された前記真空断熱材の体積が大きいものである。
【００２７】
　これによって、発泡断熱体よりも密度の大きい真空断熱材の厚みを変えたり、複数枚重ねて使ったりすることで、下方重点となるように真空断熱材を配置でき冷蔵庫上方に比べて下方の重量を増加させて転倒に対する安定性が向上する。
【００２８】
　また、発泡断熱体よりも高い断熱性能を有する真空断熱材を用いるので、壁厚を増加させるなどして内容積を減少させることなく、省エネ性を向上させているのはもちろんのことである。」
　
（ウ）　「【００６７】
　（実施の形態３）
　図３は、本発明の実施の形態３における冷蔵庫の概略断面図を示すものであり、図４は真空断熱材の断面図を示すものであり、図５は冷蔵庫の正面扉部を除く面展開図を示すものであり、図６は傾斜時の冷蔵庫概略断面図を示すものである。なお、背景技術と同一構成については同一符号を付す。
【００６８】
　図３において、断熱箱体１はＡＢＳなどの樹脂体を真空成型した内箱２２とプリコート鋼板などの金属材料を用いた外箱２３とで構成された空間に発泡断熱体２４を注入してなる断熱壁を備えている。発泡断熱体２４はたとえば硬質ウレタンフォームやフェノールフォームやスチレンフォームなどが用いられる。発泡材としてはハイドロカーボン系のシクロペンタンを用いると、温暖化防止の観点でさらによい。
【００６９】
　また、発泡前の内箱２２と外箱２３とで構成される空間には真空断熱材２５が外箱側に接着部材（図示せず）を用いて密着貼付けされている。また、真空断熱材２５は断熱箱体１の璧厚内に配設するために薄い平面形状のものが必要となる。さらに、ホットメルトなどの接着部材は接着部に空気が混入しないように真空断熱材２５貼付け面に全面塗布されている。真空断熱材２５は発泡断熱体２４と一体に発泡されて断熱箱体１を構成しており、発泡断熱体２４と比べて５倍〜２０倍の断熱性能を有する真空断熱材２５により性能向上させるものである。
【００７０】
　図４に示すように、真空断熱材２５は内部をシート状の無機繊維集合体であるセラミックファイバー成形体２６とその周囲を覆う複数の材料よりなるガスバリア性フィルム２７で構成され、内部を減圧してなる平面状の断熱材である。ガスバリア性フィルム２７は減圧後に溶着部２８を溶着して減圧状態を維持している。溶着部２８を要するフィルム端部は他辺と比べて長くなるので折り返して接着部材（図示せず）で固定してある。
【００７１】
　真空断熱材２５は無機材料を用いるので発泡断熱体２４と比べて密度が高いものとなる。発泡断熱体２４の密度が２０〜５０ｋｇ／ｍ３であるのに対して真空断熱材２５は２００〜２５０ｋｇ／ｍ３と少なくとも４倍以上とすることができる。」
　
（エ）　「【００７９】
　冷凍サイクルは凹み部１０に配設した圧縮機１６と凝縮器（図示せず）と減圧器であるキャピラリと蒸発器２０とを環状に接続して構成されている。蒸発器２０は冷却ファン２１で強制対流熱交換させている。凝縮器（図示せず）はファンを用いて強制空冷してもよいし、外箱２３の内側に熱伝導よく貼り付けられた自然空冷タイプであってもよいし、各室断熱扉体間の仕切りに配設して防滴防止を行うための高圧配管を組み合わせてもよい。」
　
（オ）　「【００８４】
　また、真空断熱材２５の配設位置について図５の断熱箱体１の展開図を元に説明する。真空断熱材２５は断熱箱体１の両側面３９及び背面４０と底面４１に貯蔵室の側面および背面のほぼ全面を覆うように貼付けてあり各面下部を基準に上部に向かって配設している。最上部に位置する回転扉式貯蔵室である冷蔵室２の下端面を示すＡ−Ａ´線（実際には最上部断熱区画の下端面を示すので、冷蔵室２と下部貯蔵室である切替室２９，製氷室３０とを区画する区画壁の上下方向の中心線を指す）から上部に貼りつけた真空断熱材２５の合計面積を斜線部で示している。真空断熱材２５は斜線部と比較して無印部の合計面積の方が大きくなるように貼付け位置と大きさを決定している。
【００８５】
　断熱箱体１の背面４０は圧縮機１６を配設した凹み部１０と、制御基板３７を配置した第二の凹み部３６が設けてあり真空断熱材２５は第二の凹み部３６の高さまで配設してある。両側面３９に用いる真空断熱材２５も合理化のために背面と同一寸法の仕様としている。底面４１は冷蔵庫の設置支持点となるキャスター４２が４点設けられており、真空断熱材２５はこれを避けた寸法で外箱２３側に最大限貼りつけられている。キャスター４２は安定性を向上させるために最大限キャスター間寸法を拡大している。
【００８６】
　以上のように構成された冷蔵庫について、以下その動作、作用を説明する。
【００８７】
　まず、冷凍サイクルの動作について説明する。庫内の設定された温度に応じて制御基板３７からの信号により冷凍サイクルが動作して冷却運転が行われる。圧縮機１６の動作により吐出された高温高圧の冷媒は、凝縮器にて放熱して凝縮液化し、キャピラリで減圧されて低温低圧の液冷媒となり蒸発器２０に至る。
【００８８】
　冷却ファン２１の動作により、庫内の空気と熱交換されて蒸発器２０内の冷媒は蒸発気化する。低温の冷気をダンパ（図示せず）などで分配することで各室の冷却を行う。また複数の蒸発器や減圧器を用いる場合は流路制御手段により必要な蒸発器２０へ冷媒が供給される。蒸発器２０を出た冷媒は圧縮機１６へと吸い込まれる。このようにサイクル運転を繰り返すことで庫内の冷却が行われる。」
　
（カ）　「【０１０７】
　（実施の形態４）
　図７は、本発明の実施の形態４における冷蔵庫の概略断面図を示すものである。なお、背景技術と同一構成については同一符号を付す。
【０１０８】
　図において、断熱箱体１の底面４１に設けた真空断熱材４８の厚みを比較的増加させたので、下方に配置された真空断熱材体積を大きくすることができる。下方の真空断熱材２５体積を増加させて重量を増加することで転倒に対する安定性が向上する。
【０１０９】
　また、真空断熱材２５は内部をシート状の無機繊維集合体であるセラミックファイバー成形体２６とその周囲を覆う複数の材料よりなるガスバリア性フィルム２７で構成され、内部を減圧してなる平面状の断熱材であるので、シート状セラミックファイバー成形体２６を複数積層して使用することで容易に厚みを変更可能であり、複数の厚みを使用する場合に有利である。
【０１１０】
　なお、厚みを同等の真空断熱材２５を用いる場合は複数枚の真空断熱材２５を積層させて使用してもよいが、真空断熱材２５の平面性がよいので複数枚の接合が容易であり、空気の混入などによる変形などを防止するのに有利である。」
　
（キ）　「【０１１９】
  真空断熱材６２５は断熱箱体６０１の下部に備えられた引出し式の貯蔵室である冷蔵室６０３のほぼ全面を覆うように貼付けてある。特に本実施例においては、冷蔵室６０２と冷凍室６０３の間の断熱壁にも真空断熱材６２５を設置している。」
　
（ク）　図３には，実施の形態３における冷蔵庫の概略断面図が示され，図４には，実施の形態３における真空断熱材の断面図が示され，図５には，実施の形態３における冷蔵庫の正面扉部を除く面展開図が示され，図７には，実施の形態４における冷蔵庫の概略断面図が示されている。
　
（ケ）　上記摘記事項（オ）の特に段落【００８４】「真空断熱材２５は断熱箱体１の両側面３９及び背面４０と底面４１に貯蔵室の側面および背面のほぼ全面を覆うように貼付けてあり」の記載及び図３の図示内容とからすると，「真空断熱材は貯蔵室を覆うように貼付けた」ことが理解でき，上記摘記事項（ウ）の特に段落【００６９】「内箱２２と外箱２３とで構成される空間には真空断熱材２５が外箱側に接着部材（図示せず）を用いて密着貼付けされている。」の記載及び図３の図示内容とからすると，「真空断熱材の庫外側と外箱との間に発泡断熱体が配設されていない」ことが理解できる。
　
（コ）　これらの事項を総合して，特に図３に示す実施の形態３に係るものについて整理すると，引用例１には次の発明（以下，「引用発明」という。）が記載されていると認めることができる。
　
「外箱と内箱とで空間が構成された断熱箱体と，前記断熱箱体に設けられた断熱区画の貯蔵室を冷却する蒸発器と，前記蒸発器に供給される冷媒を吐出する圧縮機と，前記圧縮機の動作により吐出された冷媒が凝縮器にて放熱して蒸発器に至る冷凍サイクルの凝縮器とを備えた冷蔵庫において，
　貯蔵室を覆うように貼付けた平面状の真空断熱材を前記空間に断熱区画の中で最上部に配設された最上部断熱区画の下端面より上方に配置された前記平面状の真空断熱材の総重量よりも，前記最上部断熱区画の下端面より下方に配置された前記平面状の真空断熱材の総重量が大きいように備え，前記平面状の真空断熱材の庫外側と前記外箱との間に発泡断熱体が配設されておらず，
　前記断熱箱体の上部に前記圧縮機が配設されている冷蔵庫。」
　
（ｂ）　本願の出願の前に日本国内において頒布され，原査定の拒絶の理由に引用された特開平８−６１８３４号公報（以下，「引用例２」という。）には，図面と共に次の事項が記載されている。
　
（ア）　「【００１５】
【実施例】以下、本発明を冷蔵庫に用いられる断熱箱体に適用した第１実施例につき、図１ないし図７を参照して説明する。まず、図１及び図２において、断熱箱体１の外殻を構成する外殻体２は、鋼板製の外箱３と、プラスチック製の内箱４とを組み合わせて構成されている。」
　
（イ）　「【００１９】また、上記外殻体２内の空間部９には、真空断熱パネル１５と、真空断熱パネル以外の断熱材として発泡ポリウレタンからなる発泡断熱材１６が充填されている。このうち、真空断熱パネル１５は、外殻体２の左右両側部、天井部、及び背部に、それぞれ外箱３と内箱４との間に挟持された状態で配設されており、また、発泡断熱材１６は、外殻体２の各コーナー部２ａに現場発泡によって充填されている。
【００２０】ここで、斯様な構成の断熱箱体１を製造する手順を説明する。まず、外箱３における天板部３ｂの内面側に補強体１１の上面部材１３を取り付けると共に、外箱３の各側板部３ａの内面側に補強体１１の側面部材１２をそれぞれ取り付ける。そして、外箱３の天板部３ｂ及び各側板部３ａの内面にホットメルト等の接着剤（図示せず）を塗布し、それら天板部３ｂ及び各側板部３ａの内面に真空断熱パネル１５を張り付ける。また、外箱３の背板部３ｃの内面にも同様な接着剤を塗布し、真空断熱パネル１５を張り付けけておく。」
　
（ウ）　図１には，断熱箱体の横断平面図が示され，図２には，発泡断熱材を充填する前の状態の断熱箱体の横断平面図が示されており，特に，少なくとも外箱３の背板部３ｃの内面に貼付けられた真空断熱パネル１５は，内箱の外側面を覆う態様であることが理解できる。
　
（エ）　特に，真空断熱パネルは外箱と内箱との間に挟持された状態で配設されていることからして，これらの事項を総合すると，引用例２には次の事項が記載されていると認めることができる。
　
「外箱と内箱との間に空間部が形成された外殻体を備えた冷蔵庫において，前記内箱の外側面を覆う真空断熱パネルを前記空間部の少なくとも外箱３の背板部３ｃに備え，前記真空断熱パネルの庫外側と前記外箱との間に発泡断熱材が配設されていないこと。」
　
（４）　対比
　本願補正発明と引用発明とを対比する。
　その機能・構成からして，引用発明の「外箱と内箱とで空間が構成された断熱箱体」は本願補正発明の「外箱と内箱との間に空間が形成された断熱箱体」に相当し，以下同様に，「断熱箱体に設けられた断熱区画の貯蔵室」は「断熱箱体の内部に設けられた貯蔵室」に，「蒸発器」は「冷却器」に，「蒸発器に供給される冷媒を吐出する圧縮機」は「冷却器に供給する冷媒を圧縮する圧縮機」に，「圧縮機の動作により吐出された冷媒が凝縮器にて放熱して蒸発器に至る冷凍サイクルの凝縮器」は「圧縮機の吐出側に接続された凝縮器」に，「平面状の真空断熱材」は「真空断熱パネル」に，「平面状の真空断熱材の庫外側と外箱との間に発泡断熱体が配設されておらず」の態様は「真空断熱パネルの庫外側と外箱との間に発泡断熱材が配設されておらず」の態様に，「断熱箱体の天面部」は「断熱箱体の上部」に，それぞれ相当している。
　
　したがって，両者は，
「外箱と内箱との間に空間が形成された断熱箱体と，前記断熱箱体の内部に設けられた貯蔵室を冷却する冷却器と，前記冷却器に供給する冷媒を圧縮する圧縮機と，前記圧縮機の吐出側に接続された凝縮器とを備えた冷蔵庫において，
　真空断熱パネルを前記空間に備え，前記真空断熱パネルの庫外側と前記外箱との間に発泡断熱材が配設されておらず，
　前記断熱箱体の上部に前記圧縮機が配設されている冷蔵庫。」
の点で一致し，以下の点で相違している。
　
＜相違点＞
　真空断熱パネルを空間に備える点に関し，本願補正発明では「内箱の外側面の全面を覆う真空断熱パネルを空間に備え」るのに対して，引用発明では「貯蔵室を覆うように貼付けた平面状の真空断熱材を空間に断熱区画の中で最上部に配設された最上部断熱区画の下端面より上方に配置された前記平面状の真空断熱材の総重量よりも，前記最上部断熱区画の下端面より下方に配置された前記平面状の真空断熱材の総重量が大きいように備え」る点。
　
（５）判断
　上記＜相違点＞について検討する。
　引用発明の平面状の真空断熱材は貯蔵室を覆うように貼付けられているのであって，引用例２に記載された事項は内箱の外側面を覆うことで貯蔵室を覆うようにしているのであるから，引用発明において，貯蔵室を真空断熱パネルで覆う態様として内箱の外側面を真空断熱パネルで覆う態様とすることは当業者が容易に想到し得たことである。
　また，引用例１には，例えば段落【００１８】に「また、発泡断熱体よりも高い断熱性能を有する真空断熱材を用いるので、壁厚を増加させるなどして内容積を減少させることなく、省エネ性を向上させているのはもちろんのことである。」と記載されている（上記（３）の摘記事項（ａ）（ア）参照。）ことからすると，冷蔵庫において，断熱のためにできるだけ発泡断熱体を用いずに真空断熱材を用いることは断熱性向上，すなわち，省エネ性を向上させるから，引用発明において断熱性向上のために，断熱すべき箇所に真空断熱材を用いることが引用例１に示唆されているといえる。さらに，引用例１には，例えば段落【０１１９】に「真空断熱材６２５は断熱箱体６０１の下部に備えられた引出し式の貯蔵室である冷蔵室６０３のほぼ全面を覆うように貼付けてある。」と記載されている（上記（３）の摘記事項（ａ）（キ）参照。）ことからすると，真空断熱材で冷蔵室の全面を覆うようにすることが示唆されている。その上，外箱と内箱との間に空間部が形成された断熱箱体を備えた冷蔵庫において，できるだけ内箱の外側面の全面を真空断熱パネルで覆うようにすることは，本願の出願の前に周知の事項である（必要であれば，例えば，前置報告書に引用された特開２００２−９００４８号公報（段落【００９３】〜【０１１０】，図１等参照。），特開平７−９８１７４号公報（段落【００２６】，図６等参照。）等，参照。）。そうすると，引用発明において，断熱性向上のために，引用発明の断熱すべき全ての箇所に真空断熱材を配置するように，内箱の外側面の全面を真空断熱パネルで覆うことによって，上記相違点１に係る本願補正発明の構成とすることは，当業者が容易に想到し得たことである。
　そして，引用発明の「平面状の真空断熱材を前記空間に断熱区画の中で最上部に配設された最上部断熱区画の下端面より上方に配置された前記平面状の真空断熱材の総重量よりも，前記最上部断熱区画の下端面より下方に配置された前記平面状の真空断熱材の総重量が大きいように備え」る態様は，本願補正発明の「真空断熱パネルを前記空間に備え」る態様の一つといい得るから，両者は実質的に相違するものではない。また，内箱の外側面の全面を真空断熱パネルで覆うとしても，断熱区画の中で最上部に配設された最上部断熱区画の下端面より上方に配置された前記真空断熱材の体積よりも，前記最上部断熱区画の下端面より下方に配置された前記真空断熱材の体積が大きいようにする態様とすることによって，引用発明は断熱区画の中で最上部に配設された最上部断熱区画の下端面より上方に配置された前記真空断熱材の総重量よりも，前記最上部断熱区画の下端面より下方に配置された前記真空断熱材の総重量が大きいように真空断熱部材を備えるられること，すなわち，真空断熱材の体積すなわち厚さを調整することで下方の総重量を大きくできることが引用例１に示唆されているから（引用例１の【請求項２】や段落【０１０７】〜【０１１０】，等参照（上記（３）の摘記事項（ａ）（ア）及び（カ）参照。）。），引用発明の上記態様は，必ずしも，引用発明において内箱の外側面の全面を真空断熱パネルで覆うようにすることを阻害するものではない。
　なお，請求人は上申書において「引用文献１は、断熱箱体の低重心化を図り断熱箱体の転倒を防止するために、断熱箱体の上部に配置する真空断熱材の総重量を断熱箱体の下部より少なくする技術であるので、断熱材として真空断熱パネルを用いることや、真空断熱パネルが発泡断熱体よりも断熱性能が高いことが、引用文献１に記載されているからといって、引用文献１の冷蔵庫に接した当業者が、内箱の外側面の全面を覆うように真空断熱材を配置して断熱箱体の上部に真空断熱材が多く配置されることになる構造を採用する具体的理由が存在しません。」と主張しているが，上述のとおりであるから，当該主張は採用できない。
　
　そして，本願補正発明の全体構成により奏される作用効果も，引用発明，引用例２に記載された事項，引用例１に示唆された事項及び周知の事項から当業者が予測し得る範囲内のものである。
　
　よって，本願補正発明は，引用発明，引用例２に記載された事項，引用例１に示唆された事項及び周知の事項に基いて，当業者が容易に発明をすることができたものであるから，特許法第２９条第２項の規定により特許出願の際独立して特許を受けることができないものである。
　
（６）　むすび
　以上のとおりであって，本件補正は，特許法第１７条の２第６項において準用する同法第１２６条第７項の規定に違反するので，同法第１５９条第１項の規定において読み替えて準用する同法第５３条第１項の規定により却下すべきものである。
　
３　本願について
　本件補正は上記のとおり却下されたので，本願の請求項１に記載された発明（以下，同項記載の発明を「本願発明」という。）は，以下のとおりのものと認められる。
　
「外箱と内箱との間に空間が形成された断熱箱体と、前記断熱箱体の内部に設けられた貯蔵室を冷却する冷却器と、前記冷却器に供給する冷媒を圧縮する圧縮機と、前記圧縮機の吐出側に接続された凝縮器とを備えた冷蔵庫において、
　前記内箱の外側面を覆う真空断熱パネルを前記空間に備え、前記真空断熱パネルの庫外側と前記外箱との間に発泡断熱材が配設されておらず、
　前記断熱箱体の上部に前記圧縮機が配設されていることを特徴とする冷蔵庫。」
　
（１）　引用例
　原査定の拒絶の理由に引用された引用例１及び引用例２の記載事項及び引用発明は，上記「２　（３）」のとおりである。
　
（２）　対比・判断
　本願発明は，前記「２　（２）」で検討した本願補正発明における「内箱の外側面の全面を覆う真空断熱パネル」と特定していた点を「内箱の外側面を覆う」と特定して内箱の外側面の「全面」を覆う旨の限定を削除したものに実質的に相当する。
　したがって，本願発明と引用発明とを対比すると，前記「２　（４）」にて検討したことからすれば，
　
＜相違点＞
　真空断熱パネルを空間に備える点に関し，本願補正発明では「内箱の外側面を覆う真空断熱パネルを空間に備え」るのに対して，引用発明では「貯蔵室を覆うように貼付けた平面状の真空断熱材を空間に断熱区画の中で最上部に配設された最上部断熱区画の下端面より上方に配置された前記平面状の真空断熱材の総重量よりも，前記最上部断熱区画の下端面より下方に配置された前記平面状の真空断熱材の総重量が大きいように備え」る点。
　
で相違しその余の点で一致している。
　
　上記＜相違点＞について検討すると，前記「２　（５）」にて＜相違点＞について検討したことからすれば，本願発明は，引用発明及び引用例２に記載された事項に基いて当業者が容易に想到し得たものである。
　
（３）　むすび
　以上のとおり，本願の請求項１に係る発明は，引用発明及び引用例２に記載された事項に基いて当業者が容易に発明をすることができたものと認められるので，特許法第２９条第２項の規定により特許を受けることができないため，本願のその余の請求項に係る発明について検討するまでもなく，本願は，同法第４９条第２号の規定に該当し，拒絶をされるべきものである。
　よって，結論のとおり審決する。